(57)【要約】【課題】  本考案は、穴堀建柱車を使用して、山留杭のＨ型鋼杭回転圧入工法の施工で、無騒音、無振動、低費用、残土処理もなく、狭い現場の施工が出来、簡単な段取り、自走で現場へ行ける。【解決手段】  本考案は、穴堀建柱車に、オーガースクリューとＨ型鋼杭はさみ機具を積み込み現場に行きます。現場に着き、穴堀建柱車から、オーガースクリューと、Ｈ型鋼杭はさみ機具を降ろし、穴堀建柱車のブームの先端に設置してある、オーガー回転機のシャフトに、オーガースクリューを取り付け、決められた山留杭の杭芯にオーガースクリューでＨ型鋼杭と同じ太さ、同じ深さの穴を正転で掘り、掘り終わったら逆転で引き抜き、オーガースクリューを外して、Ｈ型鋼杭をはさむ機具をシャフトに取り付け、Ｈ型鋼杭をクレーンで吊り上げ、はさみ機具ではさみ、掘った穴にＨ型鋼杭を建て込み、穴堀建柱車のブームの伏操作で、Ｈ型鋼杭を穴の中に回転しながら押し込んでいく、Ｈ型鋼杭回転圧入工法です。【選択図】  図１
2006002547.tif 000002
【特許請求の範囲】
【請求項１】
穴堀建柱車を杭施工機として使用する、Ｈ型鋼杭回転圧入工法。
【請求項２】
Ｈ型鋼杭と同じ太さの穴、又は少し細い穴、Ｈ型鋼杭の長さと同じ深さの穴を、オーガ−スクリューで正転で掘り、掘り終わったら、逆転で引き抜く、Ｈ型鋼杭回転圧入工法。
【請求項３】
穴堀建柱車のブームの先端に設置してある、オーガー回転機のシャフトに、Ｈ型鋼杭はさみ機具を取り付け、クレーンでＨ型鋼杭を吊り上げ、はさみ機具ではさみ、掘った穴の中に建て込み、穴堀建柱車のブームの伏操作で、Ｈ型鋼杭を回転させながら押し込む、Ｈ型鋼杭回転圧入工法。
【発明の詳細な説明】
【技術分野】
【０００１】  本考案は、穴堀建柱車で、山留杭のＨ型鋼杭の回転圧入工法の施工に関するものです。
【背景技術】
【０００２】  山留杭であるＨ型鋼杭は、地中に打設する時、モンケンハンマー等で、打設するかセメントミルク工法等で、打設しておりました。又、レール杭の回転圧入工法は、ありましたが、Ｈ型鋼杭の、回転圧入工法は、Ｈ型鋼杭の厚みが、レール杭とちがって、薄いため、地中にある障害物等に当たると、Ｈ型鋼杭が曲がったり、拗けたりしてしまい、Ｈ型鋼杭の回転圧入工法は、いままで出来ませんでした。
【考案が解決しようとする課題】
【０００３】  山留杭であるＨ型鋼杭のモンケン打設は、あるていど穴を掘り、その穴の中にＨ型鋼杭を建て込み、穴を埋める、そしてモンケンで打設する工法があります。この工法でモンケン打設すると、打設音、打設振動が起き、近隣に迷惑をかけてしまいます。
又、セメントミルク工法の打設は、打設音、打設振動はありませんが、打設費用として杭打機械の運送代、セメントミルク代、プラント使用代、プラント運送代等、多くの費用がかかります。又、広い道路、広い現場では、どの様な杭打機械でも、どの様な工法でも選ぶことが出来ますが、狭い現場になればなるほど、杭打機械、工法が限られてきます。近隣の迷惑も多くなってきます。無騒音、無振動がこれまで以上に、必要になります。
課題を解決するための手段
【０００４】  本考案は穴堀建柱車を使用した、山留杭Ｈ型鋼杭回転圧入工法です。
まず穴堀建柱車でＨ型鋼杭と同じ太さの穴、又は少し細い穴を、Ｈ型鋼杭の長さと同じ深さだけ、オーガ−スクリューで正転で掘ります、そして逆回転で引き抜きます。
そうすると、掘った穴の中に土が残ります、そしてオーガ−スクリューを外して、Ｈ型鋼杭をはさむ機具を回転するシャフトに取り付け、その機具にＨ型鋼杭をはめ込み、掘った穴の中に、Ｈ型鋼杭を建て込み、穴堀建柱車のブームの起伏操作の伏操作の圧力で、Ｈ型鋼杭を回転させながら押し込んでいきます。
【考案の効果】
【０００５】  上述の様に、従来の山留杭のＨ型鋼杭の打設は、モンケンで打設して、打設音、打設振動で、近隣に迷惑をかけていましたり、セメントミルク工法等で、施工費用を多くかけていましたが、本考案の、山留杭Ｈ型鋼杭回転圧入工法は、モンケン打設による打設音、打設振動もなく、セメントミルク工法による、多くの費用もかからず、残土も出ず、従来の欠点を解決しました。
【考案の実施するための最良の形態】
【０００６】  オーガ−スクリューで、Ｈ型鋼杭と同じ太さか、又は少し細めの穴を、Ｈ型鋼杭と同じ深さの穴を掘ります、その際、オーガ−スクリューを、正転で堀り進み、掘り終わったら逆転で、引き抜きますと、掘った穴の中に、土が残ります、それで残土が出ません。
【０００７】  Ｈ型鋼杭と同じ太さ、同じ深さの穴を掘ることによって、地中の障害物が取り除かれ、穴の中の土が柔らかくなり、回転圧入による、Ｈ型鋼杭が、曲がったり、拗けたり、することがなくなります。又、穴の中に土が入っていると、Ｈ型鋼杭と、穴との空間がなくなります。
【実施例】
【０００８】  以下添付図面に従って、実施例を説明する。
１図は本考案に使用される穴堀建柱車１です。
２図の穴堀建柱車のブーム２に設置してある、オーガー回転機３のシャフト４に、オーガースクリュー５を取り付ける。
３図は、山留杭の決められた杭芯に、Ｈ型鋼杭８と同じ太さ、同じ深さの穴を、オーガースクリュー５で、正転で堀り進む。
４図は、Ｈ型鋼杭８と同じ深さまで堀り終わったら、オーガースクリュー５を逆転で、引き抜きます、オーガースクリュー５を、逆転で引き抜くことによって、土が穴の中に残り残土が出ません。【０００９】  オーガー回転機３のシャフト４から、オーガースクリュー５を外し、Ｈ型鋼杭８をはさむ機具６を、オーガー回転機３のシャフト４の先端に、取り付け、クレーン７で、Ｈ型鋼杭８を吊り上げ、Ｈ型鋼杭８の先端を、はさむ機具６にはさみ、オーガースクリュー５で掘った所に、Ｈ型鋼杭８を、建て込む。
６図は、初めは、杭静止圧入で、ブーム２の伏操作で押し込む、穴の中の土は、オーガースクリュー５で柔らかくしてあるため、杭静止圧入でも、ある程度押し込めます。押し込めなくなったら、オーガー回転機３を回転させ、回転圧入方法で、Ｈ型鋼杭８を押し込みます。【０００１０】  本考案の実施例は、上述のごとき構成からなるものですので、無振動、無騒音、低費用、残土も出ず、２ｔトラックしか入れない狭い道でも施工可能で、産業上の利用可能性が高いと思います。他の杭打機もありますが、狭い現場の場合、キャタピラ等の自走車で現場へのトラック運送、回収のトラック運送、セメントミルク工法等の材料、機械等の運送、回収の運送、残土処理等、多くの費用がかかります。その点、穴堀建柱車は、２ｔトラックが入れる狭い道でも、現場まで自走でき、杭打設機具も、オーガースクリューと、Ｈ型鋼杭をはさむ機具を、穴堀建柱車に積み込んでいくだけで、簡単に段取りが出来、大変便利です。
【図面の簡単な説明】
【０００１１】
【図１】本考案に使用する、穴堀建柱車
【図２】穴堀建柱車のブームに設置してある、オーガー回転機に、オーガースクリューを取り付けた横面図である。
【図３】オーガースクリューで、地中を正転で掘り終わった横面図である。
【図４】オーガースクリューを、逆転で引き抜いた横面図である。
【図５】オーガー回転機のシャフトの先端に、Ｈ型鋼杭を、はさむ機具で、取り付けた、横面図
【図６】オーガー回転機を回して、Ｈ型鋼杭回転圧入工法で施工横面図である。
【符号の説明】
【０００１２】  １、本考案の穴堀建柱車
２、ブーム
３、オーガー回転機
４、シャフト
５、オーガースクリュー
６、Ｈ型鋼杭はさみ機具
７、クレーン
８、Ｈ型鋼杭
2006002547.tif 000003
【手続補正書】
【提出日】平成16年11月30日(2004.11.30)
【手続補正１】
【補正対象書類名】図面
【補正対象項目名】全面
【補正方法】変更
【補正の内容】
【書類名】図面
【図１】
2006002547.tif 000004
【図２】
2006002547.tif 000005
【図３】
2006002547.tif 000006
【図４】
2006002547.tif 000007
【図５】
2006002547.tif 000008
【図６】
2006002547.tif 000009